(57)【要約】      （修正有）【課題】構成部材を結合して携帯用袋状体を組み立てる際に構成部材以外の結合部材が不要な組立式携帯用袋状体を提供する。【解決手段】平板状部材に差し込み片を備えた、または、嵌通穴を備えた携帯用袋状体を構成するための組立式携帯用袋状体部材であって、携帯用袋状体を組み立てる際には、差し込み片を備えた組立式携帯用袋状体部材と差し込み片に対応する嵌通穴を備えた組立式携帯用袋状体部材とが嵌合により結合させること、携帯用袋状体を分解する際には、差し込み片と対応する嵌通穴との嵌合部４を離脱させる。【選択図】図１
2015217138.tif 000002
【特許請求の範囲】
【請求項１】
平板状部材に少なくとも差し込み片を備えた、または、少なくとも嵌通穴を備えた無縫製で携帯用袋状体を構成するための組立式携帯用袋状体部材であって、
前記差し込み片が、
平板状部材の辺を先端とした先端部幅広および胴部幅狭の突起形状を、
前記嵌通穴が、
前記差し込み片の胴部が嵌合可能な寸法の長穴形状を、
有し、
前記携帯用袋状体を組み立てる際には、前記差し込み片を備えた組立式携帯用袋状体部材と前記差し込み片に対応する前記嵌通穴を備えた組立式携帯用袋状体部材とが嵌合により結合させること、
前記携帯用袋状体を分解する際には、前記差し込み片と対応する前記嵌通穴との嵌合部を離脱させること、
を特徴とする組立式携帯用袋状体部材。
【請求項２】
前記差し込み片が、
幅狭の胴部および幅広の水平部を有する略Ｔ字の突起形状に形成されること、
を特徴とする請求項１に記載する組立式携帯用袋状体部材。
【請求項３】
前記差し込み片が、
平板状部材の周縁辺に沿って平行に少なくとも２以上の長穴が、両端の該長穴の端部側が開放するよう形成されて、開放されていない該長穴の周縁辺側中間部と周縁辺との間を切断して形成されること、
前記嵌通穴が、
平板状部材の周縁辺に沿って平行に少なくとも１以上の長穴が形成されること、
を特徴とする請求項１または請求項２に記載する組立式携帯用袋状体部材。
【請求項４】
前記中間部が、
前記長穴長手方向の略中央部分であること、
を特徴とする請求項３に記載する組立式携帯用袋状体部材。
【請求項５】
前記嵌通穴長手方向の長さが前記差し込み片水平部の長さより短く形成されること、
前記嵌通穴と前記差し込み片とを嵌合した際に、前記嵌通穴長手方向両端と前記差し込み片の胴部とが所定の隙間を有し、かつ、前記嵌通穴の短手方向の寸法が前記差し込み片の厚みに対し所定の比率で形成されること、
を特徴とする請求項１から請求項４のいずれか１項に記載する組立式携帯用袋状体部材。
【請求項６】
前記平板状部材が、
皮革あるいは不織布であること、
を特徴とする請求項１から請求項５のいずれか１項に記載する組立式携帯用袋状体部材。
【請求項７】
請求項１から請求項６のいずれか１項に記載する組立式携帯用袋状体部材を少なくとも２以上有し、
前記差し込み片を備えた組立式携帯用袋状体部材と前記差し込み片に対応する前記嵌通穴を備えた組立式携帯用袋状体部材とが嵌合あるいは離脱されることにより組立あるいは分解が自在であること、
を特徴とする組立式携帯用袋状体。
【請求項８】
前記差し込み片が、
平板状部材の周縁辺に沿って平行に少なくとも２以上の長穴が、両端の該長穴の端部側が開放するよう穿設された後、開放されていない該長穴の周縁辺側中間部と周縁辺との間を切断して形成されること、
前記嵌通穴が、
平板状部材の周縁辺に沿って平行に少なくとも１以上の長穴を穿設して形成されること、
を特徴とする請求項３に記載する組立式携帯用袋状体部材の製造方法。
【請求項９】
前記中間部が、
前記長穴長手方向の略中央部分であること、
を特徴とする請求項８に記載する組立式携帯用袋状体部材の製造方法。
【発明の詳細な説明】
【技術分野】
【０００１】
本発明は、縫製がされておらず一部の部材を容易に変更する構造を有することで、部材の多様な組み合わせが可能となった携帯用袋状体に関する。
携帯用袋状体とは、手提げカバン（バッグ）、肩掛けカバン（バッグ）、リュックサック、手提げ袋、化粧道具入れ、小物入れ、財布あるいは名刺入れなどであって、内部に荷物を入れて持ち運ぶことを目的とする袋状の入れ物である。
【背景技術】
【０００２】
従来、携帯用袋状体の多くは、複数の部位に分けられた構成部材を縫製することによって、結合し組み立てられる。しかし、縫製作業は作業者の負担が大きく、縫製作業をより低賃金の国にシフトしつつあるが、世界各国の賃金高騰により対応が困難になりつつある。また、コストダウンを目的として、１つのデザインの商品を大量生産することが求められるため、多種にわたる部材在庫の確保、デザイン変更への対応、需要者の好みを反映した個性的なデザイン・色彩の選択が制限されるという問題があった。
これらの課題を解決するため、一部または全部の構成部材を紐、バンド、ファスナーあるいはホックなどにより取外しまたは分解可能なカバンが存在する。
【０００３】
ビニールや皮革等のシートを打ち抜いて作製される複数の単板の各々に複数の綴孔を設けておき部位の異なる単板の綴孔を重ね合わせ綴紐を綴孔に挿通して工場での縫合加工を必要とせず、製品化される組立式カバンが、特許文献１に示されている。
【０００４】
本体である長方形の表布の長辺両側部には、紐が山形にミシン糸にて縫いつけられてループが形成してある。一方で、マチ材（手提げ袋の側板）の両側縁および底縁にもループが形成されており、左右の側板として２個作成される。本体のループにマチ材のループをつき合わせ、各ループに紐を通して編み合わせて、組み立てる手提げ袋が、特許文献２に示されている。
【０００５】
メインカバーおよびサイドカバーに分けた皮革等で形成された部材の端にファスナーを設け、メインカバーおよびサイドカバーによって樹脂等で形成された本体ケースを包みファスナーを開閉することによって組立・分解するランドセルが、特許文献３に示されている。
【先行技術文献】
【特許文献】
【０００６】
【特許文献１】実開昭４７−００８５０６号公報
【特許文献２】実開昭５７−０９０６２７号公報
【特許文献３】特開２００５−１０２７３６号公報
【発明の概要】
【発明が解決しようとする課題】
【０００７】
特許文献１の綴紐を綴穴に挿通して組み立てるカバンは、分解・組立が可能であるが、カバンの構成部材の他に綴じるために綴じ紐が必要である。綴紐を外して構成部材を交換する際には、交換を望む部材のみ取り外すことが困難な場合があった。利用者において、再度、組み立てる際には構成部材である単板に対しての綴紐のテンションの掛け具合が難しく、組み立てた際にカバンの形状が崩れるおそれがあった。また、紐のテンションが緩い場合には単板の合わせ部分に隙間が生じ、カバンに入れた中身が外部にこぼれ出てしまうおそれがあった。
【０００８】
特許文献２の布の端部にループを形成して紐を挿通して組み立てる手提げ袋は、手提げ袋の構成部材の他に編むために編紐が必要である。ループが大きいと各構成部材間に隙間が生じ、ループが小さいと組立が難しく、紐とループの関係の調整が難しい問題があった。また、生地あるいは紐の伸び縮みによって、手提げ袋が変形し、各構成部材間に隙間が生じ、袋に入れた中身が外部にこぼれ出てしまうおそれがあった。
【０００９】
特許文献３で示したようなカバンでは、構成部材の他に結合のために面ファスナーやファスナーが必要である。構成部材の結合に多くのファスナーを使用した場合には、開閉つまみが外部に出る、あるいは、ファスナーの合わせ部分が外部から視認されるなどデザイン性が損なわれる可能性があった。
【００１０】
いずれも組み立てる際に、結合するための部材が必要である。
【００１１】
また、縫製工程を経る必要がある従来の縫製されたカバンは、一部の構成部材に破損が生じたときに破損した部材を交換することができない問題があった。また、一度購入したカバンは構成部材を交換して異なるデザインを楽しむことができない問題があった。
【００１２】
本発明は、上記問題を解決するものである。
構成部材を結合して携帯用袋状体を組み立てる際に構成部材以外の結合部材を不要とし、縫製工程を廃したことで、部材の省略による調達業務の削減と製造費用低減が可能になり、省資源化に寄与する組立式携帯用袋状体部材および組立式携帯用袋状体を提供することを目的とする。
また、構成部材同士の結合が容易であり、構成部材の状態のままで顧客に提供し結合は顧客に委ねることが可能で、自由度が高い個性的なデザインを得られる組立式携帯用袋状体部材および組立式携帯用袋状体を提供することを目的とする。
【課題を解決するための手段】
【００１３】
上記課題を解決するため、本発明の組立式携帯用袋状体部材は、平板状部材に少なくとも差し込み片を備えた、または、少なくとも嵌通穴を備えた無縫製で携帯用袋状体を構成するための組立式携帯用袋状体部材であって、前記差し込み片が、平板状部材の辺を先端とした先端部幅広および胴部幅狭の突起形状を、前記嵌通穴が、前記差し込み片の胴部が嵌合可能な寸法の長穴形状を、有し、前記携帯用袋状体を組み立てる際には、前記差し込み片を備えた組立式携帯用袋状体部材と前記差し込み片に対応する前記嵌通穴を備えた組立式携帯用袋状体部材とが嵌合により結合させること、前記携帯用袋状体を分解する際には、前記差し込み片と対応する前記嵌通穴との嵌合部を離脱させること、を特徴とする。
【００１４】
また、本発明の組立式携帯用袋状体部材は、前記差し込み片が、幅狭の胴部および幅広の水平部を有する略Ｔ字の突起形状に形成されること、を特徴とする。
【００１５】
本発明の組立式携帯用袋状体部材は、前記差し込み片が、平板状部材の周縁辺に沿って平行に少なくとも２以上の長穴が、両端の該長穴の端部側が開放するよう形成されて、開放されていない該長穴の周縁辺側中間部と周縁辺との間を切断して形成されること、前記嵌通穴が、平板状部材の周縁辺に沿って平行に少なくとも１以上の長穴が形成されること、を特徴とする。
【００１６】
また、本発明の組立式携帯用袋状体部材は、前記中間部が、前記長穴長手方向の略中央部分であること、を特徴とする。
【００１７】
本発明の組立式携帯用袋状体部材は、前記嵌通穴長手方向の長さが前記差し込み片水平部の長さより短く形成されること、前記嵌通穴と前記差し込み片とを嵌合した際に、前記嵌通穴長手方向両端と前記差し込み片の胴部とが所定の隙間を有し、かつ、前記嵌通穴の短手方向の寸法が前記差し込み片の厚みに対し所定の比率で形成されること、を特徴とする。
【００１８】
本発明の組立式携帯用袋状体部材は、前記平板状部材が、皮革あるいは不織布であること、を特徴とする。
【００１９】
上記課題を解決するため、本発明の組立式携帯用袋状体は、前記組立式携帯用袋状体部材を少なくとも２以上有し、前記差し込み片を備えた組立式携帯用袋状体部材と前記差し込み片に対応する前記嵌通穴を備えた組立式携帯用袋状体部材とが嵌合あるいは離脱されることにより組立あるいは分解が自在であること、を特徴とする。
【００２０】
上記課題を解決するため、本発明の組立式携帯用袋状体部材の製造方法は、前記差し込み片が、平板状部材の周縁辺に沿って平行に少なくとも２以上の長穴が、両端の該長穴の端部側が開放するよう穿設された後、開放されていない該長穴の周縁辺側中間部と周縁辺との間を切断して形成されること、前記嵌通穴が、平板状部材の周縁辺に沿って平行に少なくとも１以上の長穴を穿設して形成されること、を特徴とする。
【００２１】
また、本発明の組立式携帯用袋状体部材の製造方法は、前記中間部が、前記長穴長手方向の略中央部分であること、を特徴とする。
【発明の効果】
【００２２】
本発明の組立式携帯用袋状体部材および組立式携帯用袋状体によれば、一切縫製を行わず携帯用袋状体の組立が行えるため、製造費用が低減でき短納期で安価に携帯用袋状体を提供できる効果を奏する。
【００２３】
本発明の組立式携帯用袋状体部材および組立式携帯用袋状体によれば、一部の組立式携帯用袋状体部材が破損した場合に破損した部材のみを購入し交換することによって、顧客が容易に組立式携帯用袋状体の修理を行うことができる効果を奏する。
【００２４】
本発明の組立式携帯用袋状体部材によれば、組立式携帯用袋状体の各々の部位に相当する組立式携帯用袋状体部材を顧客が購入し、顧客の感性による自由度が高い個性的なデザインのオリジナル携帯用袋状体を組み立てることができる効果を奏する。
【００２５】
本発明の組立式携帯用袋状体部材によれば、購入後であっても一部の組立式携帯用袋状体部材を顧客が容易に交換することができるため、手軽に携帯用袋状体のデザインの変化を楽しむことができる効果を奏する。
【００２６】
本発明の組立式携帯用袋状体部材によれば、胴部に比べて水平部が幅広のＴ字形状の差し込み片であるため、柔軟性を有する材質であっても嵌合部の結合が強固であり簡単に分解することがない効果を奏する。
【００２７】
本発明の組立式携帯用袋状体部材とその製造方法によれば、差し込み片が、平板状部材の周縁辺に沿って平行に少なくとも２以上の長穴が、両端の該長穴の端部側が開放するよう穿設されて、開放されていない該長穴の周縁辺側中間部と周縁辺との間を切断して形成されるため、平板状部材の外周部に差し込み片の型を取って不必要部分を切り取る場合と比較して工程が単純かつ無駄になる材料が少なくて済む効果を奏する。
嵌通穴が、平板状部材の周縁辺に沿って平行に少なくとも１以上の長穴が穿設され形成されることで、差し込み片の製造工程と一部共通化が可能となるため製造費用を低減でき短納期で安価に提供できる効果を奏する。
【００２８】
本発明の組立式携帯用袋状体部材とその製造方法によれば、前記中間部が前記長穴長手方向の略中央部分であって、該部分を切断することにより、Ｔ字状の水平部の長さが胴部を中心として略均等となり、嵌通穴との嵌合強度を均等に保つことができる効果を奏する。
【００２９】
本発明の組立式携帯用袋状体部材によれば、嵌通穴と差し込み片とを嵌合した際に、前記嵌通穴の長手方向両端と前記差し込み片の胴部との隙間が所定の寸法を有し、かつ、前記嵌通穴の短手方向の寸法が前記差し込み片の厚みに対し所定の比率に形成されることで、組立が容易である一方、嵌合部が緩まず携帯用袋状体の中身が外部にこぼれ出ることがない効果を奏する。
【００３０】
本発明の組立式携帯用袋状体部材によれば、前記平板状部材が、皮革あるいは不織布であることにより、組立式携帯用袋状体部材を厚くすることができ、差し込み片と嵌通穴の周辺部との嵌合の剛性を高めることが可能である効果を奏する。
【図面の簡単な説明】
【００３１】
【図１】本発明にかかる組立式携帯用袋状体（バンドなしタイプ）の一例である組立式手持ちカバン１の背面を示した斜視図である。
【図２】本発明にかかる組立式携帯用袋状体部材２（以下、組立部材２という。）の一例を示した斜視図である
【図３】本発明にかかる組立部材２の差し込み片４０を拡大した斜視図である。
【図４】本発明にかかる組立部材２の嵌通穴４５を拡大した斜視図である。
【図５】本発明にかかる組立部材２の嵌合過程を示した組立式手持ちカバン１の全体斜視図である。
【図６】本発明にかかる組立部材２の嵌合過程を示した組立式手持ちカバン１の部分斜視図である。
【図７】本発明にかかる組立式携帯用袋状体の一例である組立式手持ちカバン１の角当て部２９の取付過程を示した斜視図である。
【図８】本発明にかかる組立式携帯用袋状体の一例である組立式手持ちカバン１の蓋係止輪ａ２３の取付過程を示した斜視図である。
【図９】本発明にかかる組立式携帯用袋状体（バンドなしタイプ）の一例である組立式手持ちカバン１の正面を示した斜視図である。
【図１０】本発明にかかる組立式携帯用袋状体（バンドなしタイプ）の一例である組立式手持ちカバン１の他の実施形態を示した斜視図である。
【図１１】本発明にかかる組立式携帯用袋状体の他の実施例である組立式肩掛けカバン６を示した斜視図である。
【図１２】本発明にかかる組立式携帯用袋状体の他の実施例である組立式名刺入れ７を示した斜視図である。
【図１３】本発明にかかる組立部材２の他の実施例で表部６１とマチ部６２を分割しマチ部６２に差し込み片４０を備えたものを示した図である。
【図１４】本発明にかかる組立部材２の他の実施例で表部６１とマチ部６２を分割しマチ部６２に差し込み片４０および嵌通穴４５を備えたものを示した図である。
【図１５】本発明にかかる組立式携帯用袋状体の他の実施例である横縞デザインの組立式手持ちカバン１を示した斜視図である。
【発明を実施するための形態】
【００３２】
本発明を実施するための形態にかかる組立部材２および組立式携帯用袋状体について図を参照して説明する。
【００３３】
図１は、本発明にかかる組立式携帯用袋状体（バンドなしタイプ）の一例である組立式手持ちカバン１の背面を示した斜視図である。
図２は、本発明にかかる組立部材２の一例を示した斜視図である。図２で示した各組立部材２は、肩掛けカバンを組み立てる際の部材である。
【００３４】
図１にかかる組立式手持ちカバン１では、図２で示した組立部材２のうちの背部２０、マチ付表部２１および蓋部ａ２２の組立部材２を基本構成として使用する。
背部２０の外周部にはマチ付表部２１および蓋部ａ２２の差し込み片４０を嵌通させるための嵌通穴４５が複数配設される。
マチ付表部２１には３辺の外周部に背部２０の３辺の嵌通穴４５に嵌通させるための差し込み片４０が複数配設される。マチ部分と底部分とが重なり合う部分の２箇所の角は切欠きがなされる。
【００３５】
本実施の形態のマチ付表部２１の組立部材２では、表部分とマチ部分を一体としたが、マチ部分および表部分を個別の組立部材２としてもよい。マチ部分と表部分を個別にすることで、より多くの組立部材２の組み合わせを得ることができる。実施例３において、詳細に説明する。
また、袋部５を形成する組立部材２をさらに分割させて、縞柄やパッチワーク柄のような構成とすることもできる。実施例４において、詳細に説明する。
袋部５とは、表面、背面、マチ、あるいは、底面をいう。
【００３６】
蓋部ａ２２の１辺には、背部２０の１辺の嵌通穴４５に嵌通させるための差し込み片４０が配設される。
差し込み片４０と嵌通穴４５とは、結合する各々の組立部材２との間で対になるように配設される。
部位の異なる少なくとも２以上の組立部材２の差し込み片４０を対応する所定の嵌通穴４５に嵌通させ、嵌合部４を形成することで組立式手持ちカバン１を得ることができる。
【００３７】
組立式手持ちカバン１が袋状体を維持する強度を得るためには、組立部材２が、皮革あるいは不織布であることが好ましい。皮革あるいは不織布である場合には、組立部材２を厚くすることができ、差し込み片４０と嵌通穴４５の周辺部との嵌合の剛性を高めることが可能である。
但し、皮革あるいは不織布と同等の剛性を確保できれば、これに限定されるものではない。
組立部材２の厚みは、１ｍｍから２ｍｍ以内であれば、人手によって組立あるいは分解が容易であることが本発明にかかる組立式携帯用袋状体の試作によって分かっている。
図２には、他に蓋係止輪ａ２３、蓋係止差し込み部２４、角当て部２９、バンド止め部２７、バンドａ２５、バンドｂ２６およびバンド止め紐２８の組立部材２が示されている。
蓋係止輪ａ２３は、蓋部ａ２２をマチ付表部２１に係止するために使用される。
蓋係止差し込み部２４を、蓋係止輪ａ２３に挿通し蓋部ａ２２をマチ付表部２１に係止する。
角当て部２９は、マチ部分底の角の隙間を塞ぐために使用される。
バンド止め部２７、バンドａ２５、バンドｂ２６およびバンド止め紐２８については実施例１において説明する。
【００３８】
図３は、本発明にかかる組立部材２の差し込み片４０を拡大した斜視図である。
【００３９】
差し込み片４０は、平板状部材３に幅狭の胴部４１および幅広の水平部４２を有するＴ字の突起形状に形成される。胴部４１垂直方向の長さ（図中ｘ）は嵌通穴４５を備えた組立部材２の厚みに１ｍｍ以上３ｍｍ以内の長さを加えた寸法が、組立が容易である一方、嵌合部４が緩まず隙間ができにくいことが本発明にかかる組立式携帯用袋状体の試作によって分かっている。
水平部４２の高さ（図中ｚ）は、組立部材２の厚みを１ｍｍから２ｍｍ以内とした場合には、５ｍｍから１０ｍｍ以内とすることが人手によって組立あるいは分解が容易であることが本発明にかかる組立式携帯用袋状体の試作によって分かっている。
ただし、当該寸法に限定されるものではない。
【００４０】
袋部５を形成するための組立部材２の差し込み片４０または蓋部ａ２２の袋部５と結合する差し込み片４０は、平板状部材３の周縁辺に沿って平行に少なくとも２以上の長穴が、両端の長穴の端部側が開放するよう穿設されて、開放されていない長穴の周縁辺側中間部と周縁辺との間（図中切断部４３）を切断して形成される。該組立部材２の製造方法によると、胴部４１と水平部４２でＴ字状を呈し、隣接する水平部４２が重ならず空間を有する状態で形成される。平板状部材３の周縁辺から長穴外周までの距離は、前述の水平部４２の高さ（図中ｚ）に該当する。また、前記中間部を前記長穴長手方向の略中央部分とするとＴ字状の水平部４２の長さが胴部４１を中心として略均等となり、嵌通穴４５との嵌合強度を均等に保つことができる。該製造方法によれば、差し込み片４０の製造工程が単純かつ無駄になる材料を最小限に抑えることができる。また、携帯用袋状体を組み立てた際に内部で、水平部４２が重なり合って嵩張ることがない。
【００４１】
図４は、本発明にかかる組立部材２の嵌通穴４５を拡大した斜視図である。
【００４２】
嵌通穴４５は、平板状部材３に差し込み片４０を嵌脱するための長穴形状に形成される。
嵌通穴４５長手方向長さは差し込み片４０水平部４２の長さより短く形成し、嵌合した際に意図せず離脱することを防止する。
嵌通穴４５と差し込み片４０とを嵌合した際に、嵌通穴４５の長手方向の寸法（図中ｔ）が差し込み片４０の胴部４１水平方向の寸法（図中ｙ）に対し１ｍｍ以上３ｍｍ以内の長さを加えた寸法に設定されると、嵌通穴４５長手方向両端と胴部４１との間に微小な隙間が生じ組立が容易である一方、嵌合部４が緩まず隙間ができにくいことが本発明にかかる組立式携帯用袋状体の試作によって分かっている。
【００４３】
また、嵌通穴４５の短手方向の寸法（図中ｓ）が前記差し込み片４０の厚みに対し１倍を超えて１．５倍以内の大きさに形成されることで、組立が容易である一方、嵌合部４が緩まず隙間ができにくいことが本発明にかかる組立式携帯用袋状体の試作によって分かっている（以下の図６の説明参照）。
ただし、当該寸法に限定されるものではない。
【００４４】
嵌通穴４５は、平板状部材３の周縁辺に沿って平行に少なくとも１以上の長穴が穿設されて製造される。差し込み片４０の製造工程と一部共通化が可能となるため製造費用が低減でき短納期で安価に提供できる。
前記平板状部材３の周縁辺から嵌通穴４５長手方向の辺までの距離は、組立部材２の厚みを１ｍｍから２ｍｍ以内とした場合には、５ｍｍから１０ｍｍ以内とすることが人手によって組立あるいは分解が容易であることが本発明にかかる組立式携帯用袋状体の試作によって分かっている。
ただし、当該寸法に限定されるものではない。
【００４５】
図５から図８を参照して、組立式携帯用袋状体の組立方法を説明する。
【００４６】
図５は、本発明にかかる組立部材２の嵌合過程を示した組立式手持ちカバン１の全体斜視図である。
図６は、本発明にかかる組立部材２の嵌合過程を示した組立式手持ちカバン１の部分斜視図である。
【００４７】
少なくとも２以上の部位の異なる組立部材２の差し込み片４０を対応する所定の嵌通穴４５に嵌合あるいは離脱して組立あるいは分解を行う。
図５では、マチ付表部２１の組立部材２の差し込み片４０を対応する背部２０の組立部材２の所定の嵌通穴４５に嵌通させて嵌合部４を複数形成して、袋状体とする過程を示した。
まず、組立式手持ちカバン１の開口部の一端となる図５右奥の上部から下方に向かって嵌合部４を形成して行き底部分まで達したら、図５右奥の底部分から図５左下側手前に向かって嵌合部４を形成して行く。
図５左下側手前の角部分に達したら、図５左下側手前から上部に向かって嵌合部４を形成し、開口部を有する袋状体とする。
嵌合の順序は一例であり、逆方向にまたは他の順序でされてもよい。
【００４８】
図６では、差し込み片４０を嵌通穴４５に差し込む過程をより詳細に示した。
図６の右端では、既に差し込み片４０を嵌通穴４５に嵌通し、嵌合部４を形成している。
続いて、隣の差し込み片４０を対応する嵌通穴４５に嵌通し嵌合部４を形成する。
嵌合部４を形成するには、まず、差し込み片４０水平部４２の一方の端を嵌通穴４５に差し込む。その後、他方の端を胴部４１中心方向に折り曲げ重ね合せた状態を維持しながら、嵌通穴４５に差し込む。他方の端を胴部４１中心方向に折り曲げて重ね合せた状態では、組立部材２の２倍の厚みとなる。２倍の厚みの差し込み片４０を嵌通穴４５に差し込むには、前述したように嵌通穴４５の短手方向の寸法（図４中ｓ）が前記差し込み片４０の厚みに対し１倍を超えて１．５倍以内の大きさに形成されることで組立が容易である一方、嵌合部４が緩まず隙間ができにくいことが本発明にかかる組立式携帯用袋状体の試作によって分かっている。
【００４９】
図７は、本発明にかかる組立式携帯用袋状体の一例である組立式手持ちカバン１の角当て部２９の取付過程を示した斜視図である。
【００５０】
皮革のような厚みを有する組立部材２の場合にあっては、複数の組立部材２同士で角を形成する部分に大きな隙間が生じることになる。図７では、底部分の両側に隙間が生じる。
そのため、本実施の形態においては、角当て部２９の組立部材２を用意した。角当て部２９を取り付けることにより、隙間を塞ぐことが可能となる。
角当て部２９には、差し込み片４０を２個備える。一方、マチ付表部２１には角当て部２９の差し込み片４０に対応する嵌通穴４５を一つの角当て部２９に対し２個備える。
図７上部には、既に嵌合された角当て部２９を示し、下部には、嵌合前の角当て部２９を示した。嵌合の方法は、前述した図６についての説明の通りである。
【００５１】
図８は、本発明にかかる組立式携帯用袋状体の一例である組立式手持ちカバン１の蓋係止輪ａ２３の取付過程を示した斜視図である。
蓋係止輪ａ２３は、蓋係止輪ａ２３に挿通させた取付具３０の差し込み片４０を蓋部ａ２２の嵌通穴４５に嵌合させることにより取り付ける。
続いて、蓋係止差し込み部２４の差し込み片４０をマチ付表部２１の嵌通穴４５に嵌通させて蓋係止差し込み部２４を取り付ける（不図示）。
【００５２】
図９は、本発明にかかる組立式携帯用袋状体（バンドなしタイプ）の一例である組立式手持ちカバン１の正面を示した斜視図である。
【００５３】
図９は、組立式手持ちカバン１の組立が完成した状態である。
図５から図８に示したように、一切縫製を行わずカバンの組立が行えるため、製造費用が低減でき短納期で安価にカバンを提供できる。
蓋係止輪ａ２３を蓋係止差し込み部２４に係止することによって蓋部を閉じた状態に保持できる。
【００５４】
図１０は、本発明にかかる組立式携帯用袋状体（バンドなしタイプ）の一例である組立式手持ちカバン１の他の実施形態を示した斜視図である。
【００５５】
図１０では、図９で示した組立式手持ちカバン１の組立部材２である蓋部ａ２２および蓋係止輪ａ２３を蓋部ｂ５２および蓋係止輪ｂ５３に交換し組み合わせた。
蓋部を角形状から丸みを帯びた形状に、および、蓋係止輪を円形状から角形状に変更することにより、見た目の印象を大きく変えることができる。
また、形状を変更せずとも、色彩を変更することによっても同様の効果を得ることができる。
購入時に顧客が、多種の組み合わせ可能なように用意された組立部材２の中から選択することにより、顧客の感性による自由度が高い個性的なデザインのオリジナル携帯用袋状体を組み立てることができる。
また、購入後であっても一部の組立部材２を顧客が容易に交換することができるため、手軽に携帯用袋状体のデザインの変化を楽しむことができる。
さらに、蓋部ａ２２の組立部材２が破損した際には、蓋部ａ２２の組立部材２のみを購入し交換することによって、顧客が容易に携帯用袋状体の修理を行うことができる効果を奏する。
図１０では、組立部材２の交換の一例を示したが、これに限定されるものではない。
【実施例１】
【００５６】
図１１は、本発明にかかる組立式携帯用袋状体の他の実施例である組立式肩掛けカバン６を示した斜視図である。
【００５７】
本実施例では、組立式手持ちカバン１に使用した組立部材２に加えて、バンド止め部２７、バンドａ２５、バンドｂ２６およびバンド止め紐２８の組立部材２を使用した。
バンド止め部２７は、マチ部分両側に設けられた２箇所の嵌通穴４５に対応する差し込み片４０を嵌通し嵌合させることによって手提げあるいは肩掛けのためのバンドを取り付けることができる。
バンドａ２５およびバンドｂ２６は、手提げあるいは肩掛けカバンを望む際に使用する。
手提げカバンとする場合には、バンドｂ２６のみを使用する。
バンドａ２５およびバンドｂ２６には、差し込み片４０あるいは嵌通穴４５を備える。
バンド止め紐２８は、バンド止め部２７とバンドａ２５あるいはバンドｂ２６とを結合するために使用する。
【００５８】
バンド止め部２７をカバンに取り付けた際に形成された輪状の部分にバンド止め紐２８を挿通した後、バンドａ２５あるいはバンドｂ２６に設けられた嵌通穴４５に挿通し紐を結び、バンド止め部２７とバンドａ２５あるいはバンドｂ２６とを結合する。
バンド止め紐２８にバンドａ２５を結合させた場合には、バンドａ２５に設けられた差し込み片４０をバンドｂ２６に設けられた嵌通穴４５に嵌通することにより、バンドの長さを伸長させる。
手提げあるいは肩掛けカバンとする際にも、結合部材を必要とせず、容易に多種のデザインに変更することができる。
本実施例の手提げあるいは肩掛けカバンは一例であり、手提げあるいは肩掛けのためのバンドの形態はバンドａ２５あるいはバンドｂ２６に限定されるものではない。
【実施例２】
【００５９】
図１２は、本発明にかかる組立式携帯用袋状体の他の実施例である組立式名刺入れ７を示した斜視図である。
【００６０】
本発明にかかる組立部材２の構造を採用すれば、図１２に示した名刺入れの他、リュックサック、手提げ袋、化粧道具入れ、財布あるいは小物入れなどにも適用が可能である。
【実施例３】
【００６１】
図１３は、本発明にかかる組立部材２の他の実施例で表部６１とマチ部６２を分割しマチ部６２に差し込み片４０を備えたものを示した図である。
図１３（ａ）は、組立式手持ちカバン１の袋部５を組み立てた状態を示した。図１３（ｂ）は、その際のマチ部６２の嵌合部分の形成パターンを示した。
図１４は、本発明にかかる組立部材２の他の実施例で表部６１とマチ部６２を分割しマチ部６２に差し込み片４０および嵌通穴４５を備えたものを示した図である。
図１４（ａ）は、組立式手持ちカバン１の袋部５を組み立てた状態を示した。図１４（ｂ）は、その際のマチ部６２の嵌合部分の形成パターンを示した。
【００６２】
本発明にかかる実施の形態では、表部分にマチ部分を備えたマチ付表部２１を採用したが、図１３および図１４に示したように、マチ部６２と表部６１を分割することが可能である。
また、底部６３も分割することが可能である。
その際、嵌合部分である差し込み片４０および嵌通穴４５の形成パターンを選択することが可能である。
図１３（ｂ）では、マチ部６２の表部６１嵌合部分および背部２０嵌合部分ともに差し込み片４０を形成した例を示した。
差し込み片４０は、図１３（ｂ）中、上下両端の長穴は端部側が開放するように穿設され、端部側が開放されていない長穴の周縁辺側中間部と周縁辺との間を切断して形成する（以下、差し込み片４０は同様に形成される。）。
表部６１および背部２０の周縁辺には、嵌通穴４５が設けられることになる。
図では示していないが、マチ部６２の表部６１嵌合部分および背部２０嵌合部分ともに嵌通穴４５を形成することも可能である。
当然、表部６１および背部２０の周縁辺には、差し込み片４０が設けられることになる。
【００６３】
図１４（ｂ）では、マチ部６２の表部６１嵌合側に嵌通穴４５を設け、背部２０嵌合側に差し込み片４０を形成した例を示した。
表部６１のマチ部６２側周縁辺には、差し込み片４０が設けられ、背部２０のマチ部６２側には嵌通穴４５が設けられることになる。
図では示していないが、マチ部６２の表部６１嵌合部分に差し込み片４０を設け、背部２０嵌合部分に嵌通穴４５を形成することも可能である。
底部６３を分割した際にも、同様に差し込み片４０および嵌通穴４５の形成パターンを選択することが可能である。
マチ部６２あるいは底部６３を分割した場合は、交換可能な組立部材２の数および種類が増え、より多くのデザインの組み合わせを得ることができる。
【実施例４】
【００６４】
図１５は、本発明にかかる組立式携帯用袋状体の他の実施例である横縞デザインの組立式手持ちカバン１を示した斜視図である。
組立式携帯用袋状体の袋部５を細かく分割した組立部材２を用意し、縞柄やパッチワーク柄の組立式携帯用袋状体を得ることができる。
図１５では、背部２０の組立部材２を長手方向に３分割し、中央部の組立部材２を上下の組立部材２と色違いとした。
中央部の組立部材２には、上下の組立部材２およびマチ付表部２１と嵌合可能なように周縁辺に沿って平行に差し込み片４０あるいは嵌通穴４５が配設されている。
上下の組立部材２には、中央部の組立部材２およびマチ付表部２１あるいは蓋部ａ２２と嵌合可能なように周縁辺に沿って平行に差し込み片４０あるいは嵌通穴４５が配設されている。差し込み片４０と嵌通穴４５とは、結合する各々の組立部材２との間で対になるように配設される。
【００６５】
例えば、購入後に中央部の組立部材２を、新たに購入した他の色彩あるいは模様が付されたデザインの組立部材２に交換することにより、購入時のデザインと異なるデザインのカバンを楽しむことが可能である。
本例では、３分割の例を示したが、分割の数を変えることも、または、方向を変えて、各組立部材２のデザインを違わせることも可能である。
縦横方向に分割し、パッチワーク柄とすることも可能である。
また、本例のように背部２０のみではなく、表部６１あるいはマチ部６２も背部２０と同様に分割したデザインとすることが可能であり、多数のバリエーションのデザインを得られる。
さらに、袋部５以外に蓋部ａ２２においても複数分割した組立部材２を使用して組み合わせることが可能である。
【産業上の利用可能性】
【００６６】
軽量物を収納するためのインテリアにおいて適用が可能である。
【符号の説明】
【００６７】
１  組立式手持ちカバン
２  組立式携帯用袋状体部材（組立部材）
３  平板状部材
４  嵌合部
５  袋部
６  組立式肩掛けカバン
７  組立式名刺入れ
２０  背部
２１  マチ付表部
２２  蓋部ａ
２３  蓋係止輪ａ
２４  蓋係止差し込み部
２５  バンドａ
２６  バンドｂ
２７  バンド止め部
２８  バンド止め紐
２９  角当て部
３０  取付具
４０  差し込み片
４１  胴部
４２  水平部
４３  切断部
４５  嵌通穴
５２  蓋部ｂ
５３  蓋係止輪ｂ
６１  表部
６２  マチ部
６３  底部
【図１】
2015217138.tif 000003
【図２】
2015217138.tif 000004
【図３】
2015217138.tif 000005
【図４】
2015217138.tif 000006
【図５】
2015217138.tif 000007
【図６】
2015217138.tif 000008
【図７】
2015217138.tif 000009
【図８】
2015217138.tif 000010
【図９】
2015217138.tif 000011
【図１０】
2015217138.tif 000012
【図１１】
2015217138.tif 000013
【図１２】
2015217138.tif 000014
【図１３】
2015217138.tif 000015
【図１４】
2015217138.tif 000016
【図１５】
2015217138.tif 000017